【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
情報記憶手段に記憶されている情報に対して動画像記憶手段に記憶されている動画像に含まれるフレーム画像を関連付けるにあたって、前記フレーム画像を含む動画像を識別する動画像識別情報、及び前記フレーム画像を識別するフレーム画像識別情報を、前記情報と関連付けて関連情報記憶手段に記憶させる記憶制御手段と、
前記関連情報記憶手段に記憶されている前記動画像識別情報、及び前記フレーム画像識別情報に基づいて、前記情報に関連付けられたフレーム画像を表示手段に表示させる表示制御手段と、
を備えたことを特徴とする情報表示端末。
【請求項２】
前記記憶制御手段は、所望の大きさ及び当該フレーム画像における所望の位置を示す画像領域を識別する画像領域識別情報を前記情報と関連付けて前記関連情報記憶手段に記憶させ、
前記表示制御手段は、前記関連情報記憶手段に記憶されている前記動画像識別情報、前記フレーム画像識別情報、及び前記画像領域識別情報に基づいて、前記情報に関連付けられたフレーム画像の前記画像領域を前記表示手段に表示させることを特徴とする請求項１に記載の情報表示端末。
【請求項３】
前記情報記憶手段は複数の情報を記憶可能であるとともに、前記動画像記憶手段は複数の動画像を記憶可能であって、
前記記憶制御手段は、前記情報記憶手段に記憶されているいずれかの情報に対して前記動画像記憶手段に記憶されているいずれかの動画像に含まれるフレーム画像を関連付けるにあたって、前記動画像識別情報及び前記フレーム画像識別情報を、前記情報と関連付けて前記関連情報記憶手段に記憶させることを特徴とする請求項１に記載の情報表示端末。
【請求項４】
前記情報は、通信の相手先情報であることを特徴とする請求項１に記載の情報表示端末。
【請求項５】
前記情報は、名前、電話番号、電子メールアドレスの少なくともいずれか１つを含むアドレス帳情報であることを特徴とする請求項１に記載の情報表示端末。
【請求項６】
前記フレーム画像識別情報は、前記フレーム画像を含む動画像における前記フレーム画像の再生開始時間又は再生順番を示す情報であることを特徴とする請求項１に記載の情報表示端末。
【請求項７】
前記フレーム画像を関連付けるための対象となる情報を前記情報記憶手段に記憶されている情報から選択する情報選択手段を更に備えることを特徴とする請求項１に記載の情報表示端末。
【請求項８】
前記情報に関連付けるためのフレーム画像を含む動画像を前記動画像記憶手段に記憶されている動画像から選択する動画像選択手段を更に備えることを特徴とする請求項１に記載の情報表示端末。
【請求項９】
前記情報に関連付けるためのフレーム画像を前記動画像から選択するフレーム画像選択手段を更に備えることを特徴とする請求項１に記載の情報表示端末。
【請求項１０】
情報記憶手段に記憶されている情報に対して動画像記憶手段に記憶されている動画像に含まれるフレーム画像を関連付けるにあたって、前記フレーム画像を含む動画像を識別する動画像識別情報、及び前記フレーム画像を識別するフレーム画像識別情報を、前記情報と関連付けて関連情報記憶手段に記憶させる記憶制御ステップと、
前記関連情報記憶手段に記憶されている前記動画像識別情報、及び前記フレーム画像識別情報に基づいて、前記情報に関連付けられたフレーム画像を表示手段に表示させる表示制御ステップと、
を含むことを特徴とする情報表示方法。
【請求項１１】
コンピュータを、
情報記憶手段に記憶されている情報に対して動画像記憶手段に記憶されている動画像に含まれるフレーム画像を関連付けるにあたって、前記フレーム画像を含む動画像を識別する動画像識別情報、及び前記フレーム画像を識別するフレーム画像識別情報を、前記情報と関連付けて関連情報記憶手段に記憶させる記憶制御手段と、
前記関連情報記憶手段に記憶されている前記動画像識別情報、及び前記フレーム画像識別情報に基づいて、前記情報に関連付けられたフレーム画像を表示手段に表示させる表示制御手段と、
として機能させるためのプログラム。
【手続補正２】
【補正対象書類名】明細書
【補正対象項目名】発明の名称
【補正方法】変更
【補正の内容】
【発明の名称】情報表示端末、情報表示方法及びプログラム
【手続補正３】
【補正対象書類名】明細書
【補正対象項目名】０００１
【補正方法】変更
【補正の内容】
【０００１】
本発明は、情報に関連付けられた画像を表示する情報表示端末、情報表示方法及びプログラムに関する。
【手続補正４】
【補正対象書類名】明細書
【補正対象項目名】０００４
【補正方法】変更
【補正の内容】
【０００４】
本発明の課題は、情報に動画像の一シーンを関連付けて登録する際に、登録操作を容易に行えるようにするとともに、登録に係るメモリ消費を低減することである。
【手続補正５】
【補正対象書類名】明細書
【補正対象項目名】０００５
【補正方法】変更
【補正の内容】
【０００５】
上記課題を解決するため、請求項１に記載の発明の情報表示端末は、情報記憶手段に記憶されている情報に対して動画像記憶手段に記憶されている動画像に含まれるフレーム画像を関連付けるにあたって、前記フレーム画像を含む動画像を識別する動画像識別情報、及び前記フレーム画像を識別するフレーム画像識別情報を、前記情報と関連付けて関連情報記憶手段に記憶させる記憶制御手段と、前記関連情報記憶手段に記憶されている前記動画像識別情報、及び前記フレーム画像識別情報に基づいて、前記情報に関連付けられたフレーム画像を表示手段に表示させる表示制御手段と、を備えたことを特徴としている。
【手続補正６】
【補正対象書類名】明細書
【補正対象項目名】０００６
【補正方法】変更
【補正の内容】
【０００６】
請求項２に記載の発明は、請求項１に記載の発明において、前記記憶制御手段は、所望の大きさ及び当該フレーム画像における所望の位置を示す画像領域を識別する画像領域識別情報を前記情報と関連付けて前記関連情報記憶手段に記憶させ、前記表示制御手段は、前記関連情報記憶手段に記憶されている前記動画像識別情報、前記フレーム画像識別情報、及び前記画像領域識別情報に基づいて、前記情報に関連付けられたフレーム画像の前記画像領域を前記表示手段に表示させることを特徴としている。
【手続補正７】
【補正対象書類名】明細書
【補正対象項目名】０００７
【補正方法】変更
【補正の内容】
【０００７】
請求項３に記載の発明は、請求項１に記載の発明において、前記情報記憶手段は複数の情報を記憶可能であるとともに、前記動画像記憶手段は複数の動画像を記憶可能であって、前記記憶制御手段は、前記情報記憶手段に記憶されているいずれかの情報に対して前記動画像記憶手段に記憶されているいずれかの動画像に含まれるフレーム画像を関連付けるにあたって、前記動画像識別情報及び前記フレーム画像識別情報を、前記情報と関連付けて前記関連情報記憶手段に記憶させることを特徴としている。
請求項４に記載の発明は、請求項１に記載の発明において、前記情報は、通信の相手先情報であることを特徴としている。
請求項５に記載の発明は、請求項１に記載の発明において、前記情報は、名前、電話番号、電子メールアドレスの少なくともいずれか１つを含むアドレス帳情報であることを特徴としている。
【手続補正８】
【補正対象書類名】明細書
【補正対象項目名】０００８
【補正方法】変更
【補正の内容】
【０００８】
請求項６に記載の発明は、請求項１に記載の発明において、前記フレーム画像識別情報は、前記フレーム画像を含む動画像における前記フレーム画像の再生開始時間又は再生順番を示す情報であることを特徴としている。
請求項７に記載の発明は、請求項１に記載の発明において、前記フレーム画像を関連付けるための対象となる情報を前記情報記憶手段に記憶されている情報から選択する情報選択手段を更に備えることを特徴としている。
請求項８に記載の発明は、請求項１に記載の発明において、前記情報に関連付けるためのフレーム画像を含む動画像を前記動画像記憶手段に記憶されている動画像から選択する動画像選択手段を更に備えることを特徴としている。
請求項９に記載の発明は、請求項１に記載の発明において、前記情報に関連付けるためのフレーム画像を前記動画像から選択するフレーム画像選択手段を更に備えることを特徴としている。
【手続補正９】
【補正対象書類名】明細書
【補正対象項目名】０００９
【補正方法】変更
【補正の内容】
【０００９】
請求項１０に記載の発明の情報表示方法は、情報記憶手段に記憶されている情報に対して動画像記憶手段に記憶されている動画像に含まれるフレーム画像を関連付けるにあたって、前記フレーム画像を含む動画像を識別する動画像識別情報、及び前記フレーム画像を識別するフレーム画像識別情報を、前記情報と関連付けて関連情報記憶手段に記憶させる記憶制御ステップと、前記関連情報記憶手段に記憶されている前記動画像識別情報、及び前記フレーム画像識別情報に基づいて、前記情報に関連付けられたフレーム画像を表示手段に表示させる表示制御ステップと、を含むことを特徴としている。
【手続補正１０】
【補正対象書類名】明細書
【補正対象項目名】００１０
【補正方法】変更
【補正の内容】
【００１０】
請求項１１に記載の発明は、コンピュータを、情報記憶手段に記憶されている情報に対して動画像記憶手段に記憶されている動画像に含まれるフレーム画像を関連付けるにあたって、前記フレーム画像を含む動画像を識別する動画像識別情報、及び前記フレーム画像を識別するフレーム画像識別情報を、前記情報と関連付けて関連情報記憶手段に記憶させる記憶制御手段と、前記関連情報記憶手段に記憶されている前記動画像識別情報、及び前記フレーム画像識別情報に基づいて、前記情報に関連付けられたフレーム画像を表示手段に表示させる表示制御手段と、として機能させるためのプログラムであることを特徴としている。
【手続補正１１】
【補正対象書類名】明細書
【補正対象項目名】００１１
【補正方法】変更
【補正の内容】
【００１１】
本発明によれば、情報に動画像の一シーンを関連付けて登録する際の操作が容易になるとともに、登録に係るメモリ消費を低減することが可能となる。 
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】